(57)【要約】  本提案は、中央装置に接続されるメモリカードリーダに対するメモリカードの挿入及び取り外し処理に関する。メモリカードリーダに対するメモリカードの挿入及び取り外しは、ＵＳＢバス接続とすることが可能なバス接続を介し中央装置には通知されない。これは、ＤＶＤプレーヤーなどの中央装置とユーザが混乱する可能性があるという問題を引き起こす。すなわち、メモリカードがカードリーダから取り外される場合に、この問題は生じる。しかしながら、カードが取り外されても、プレーヤーのＵＩに当該カードのコンテンツ又はファイルディレクトリが表示される。ユーザがこのファイル又はコンテンツディレクトリからファイルにアクセスしようとすると、リードエラーが発生する。  この問題を解決するため、中央装置においてポーリング方法を実現することが提案される。１００ミリ秒など定期的な期間において、プレーヤーは、メモリカードリーダの各種スロットの状態を読み込むための制御コマンドを送信する。このようにして、中央装置は、メモリカードの挿入又は取り外しについて即座に通知される。また、コンテンツ又はファイルディレクトリが即座に消去されるようにしてもよい。従って、中央装置及びユーザの混乱は回避される。
2008500617.tif 000002
【特許請求の範囲】
【請求項１】
カードリーダに対するメモリカードのプラグイン又はプラグアウト処理を管理する方法であって、
前記カードリーダは、バス接続を介し中央装置に接続され、
前記メモリカードのプラグイン又はプラグアウト処理は、前記中央装置に通知されず、
前記中央装置は、メモリカードの有無について前記メモリカードリーダの少なくとも１つのスロットを定期的にスキャンし、挿入されたカードが検出されると、前記中央装置の登録セクションに登録することを特徴とする方法。
【請求項２】
請求項１記載の方法であって、
前記カードリーダは、前記中央装置の周辺装置であることを特徴とする方法。
【請求項３】
請求項１又は２記載の方法であって、
スキャン処理中にメモリカードが取り外されていることが検出されると、前記メモリカードのファイル又はコンテンツディレクトリが消去されることを特徴とする方法。
【請求項４】
請求項１乃至３何れか一項記載の方法であって、
前記メモリカードが、スキャン処理中に取り外されていることが検出されると、音声／視覚警告メッセージが、ユーザに対して生成されることを特徴とする方法。
【請求項５】
請求項１乃至４何れか一項記載の方法であって、
前記バス接続は、シリアルバス接続であり、特にＵＳＢ、ＡＴＡ又はＩＤＥタイプのシリアルバス接続であることを特徴とする方法。
【請求項６】
請求項１乃至５何れか一項記載の方法であって、
前記登録セクションは、前記中央装置のメモリにおけるブートセクタ部分であることを特徴とする方法。
【請求項７】
請求項１乃至６何れか一項記載の方法により使用される装置であって、
メモリカードリーダと当該装置を接続するバス接続と、
メモリカードの有無について前記メモリカードリーダの少なくとも１つのスロットをスキャンするため、前記バス接続を介し制御コマンドを定期的に送信する手段と、
挿入されたメモリカードの存在を登録セクションに登録する登録手段と、
を有することを特徴とする装置。
【請求項８】
請求項７記載の装置であって、さらに、
前記メモリカードが、スキャン処理中に取り外されていることを検出すると、当該装置のメモリに格納されているメモリカードのファイル情報又はコンテンツディレクトリを消去する手段を有することを特徴とする装置。
【請求項９】
請求項７又は８記載の装置であって、
前記登録セクションは、当該装置のメモリのブートセクタ部分であることを特徴とする装置。
【請求項１０】
請求項７乃至９何れか一項記載の装置であって、
前記バス接続は、シリアルバス接続であり、特にＵＳＢ、ＡＴＡ又はＩＤＥタイプのシリアルバス接続であることを特徴とする装置。
【発明の詳細な説明】
【発明の詳細な説明】
【０００１】
本発明は、メモリカードなどの大容量記憶装置へのデータアクセスを処理する技術分野に関する。
［発明の背景］
パーソナルコンピュータ（ＰＣ）の分野において、ＵＳＢ（Ｕｎｉｖｅｒｓａｌ  Ｓｅｒｉａｌ  Ｂｕｓ）と呼ばれるシリアルバス通信規格が知られている。異なるバス規格も知られている。ＵＳＢバージョン１．１は、１２Ｍｂｉｔ／ｓと１．５Ｍｂｉｔ／ｓの２つのスピードモードをサポートしている。ＵＳＢバージョン２．０は、４８０Ｍｂｉｔ／ｓまでの高速データ伝送をサポートしている。プリンタ、スキャナ、キーボード、マウス、デジタルスチルカメラなどのパーソナルコンピュータの現在ある周辺装置の大部分には、ＵＳＢインタフェースが備えられている。ＵＳＢインタフェースは、ＰＣ業界においてのみ使用されているものではない。今日では、ＵＳＢインタフェースを有する既存の家電業界からの製品も存在する。
【０００２】
一例として、スチルカメラなどの周辺装置と接続するためＵＳＢインタフェースを有するＤＶＤプレーヤーがある。カメラの代わりに、メモリカードリーダがまたＤＶＤプレーヤーに接続されるかもしれない。メモリスティック、コンパクトフラッシュ（登録商標）、スマートメディア、ＳＤカード、マルチメディアカードなどの既存のすべてのメモリカードについてスロットを有する既存のオールインワンタイプのメモリカードリーダが存在する。
【０００３】
ＵＳＢに準拠した装置は、常にＵＳＢクラスタグによりタグ付けされている。ＵＳＢクラスは、同様の属性又はサービスを有する装置又はインタフェースグループを記述している。大容量記憶装置クラスは、ＵＳＢクラスの１つである。
【０００４】
大容量記憶装置クラスは、２つの主要なタイプのインタフェースプロトコル、すなわち、Ｂｕｌｋ−Ｏｎｌｙ（ＢＯ）トランスポートと、Ｃｏｎｔｒｏｌ／Ｂｕｌｋ／Ｉｎｔｅｒｒｕｐｔ（ＣＢＩ）トランスポートをサポートしている。ＣＢＩは、フルスピードフロッピー（登録商標）ディスクドライブによる使用にのみ認められている。ＣＢＩは、高速対応装置又はフロッピー（登録商標）ディスクドライブ以外の装置においては利用できない。メモリカード／スティックに対するデータ転送については、ＢＯトランスポートプロトコルが提供されている。
【０００５】
ＵＳＢに準拠した装置は、ライフインサーション（ｌｉｆｅ  ｉｎｓｅｒｔｉｏｎ）機能と呼ばれるプラグ＆プレイ機能をサポートしている。ＵＳＢ装置がプラグインされると、ＵＳＢハードウェアによって割り込みが生成され、ＵＳＢホストコントローラに通知される。同様に、ＵＳＢ装置がプラグインされていないとき、アンプラグイベントをＵＳＢホストコントローラに通知するため、他の割り込みがＵＳＢハードウェアによって生成される。
【０００６】
ＵＳＢインタフェースを備えるＤＶＤプレーヤーのアプリケーションソフトウェアは、ＢＯインタフェースプロトコルによりＵＳＢ大容量記憶装置クラスをサポートする。この分類に属する装置には主として２つのタイプ、すなわち、ＵＳＢサムドライブ（ｔｈｕｍｂ−ｄｒｉｖｅ）と、ＵＳＢメモリカードリーダが存在する。ＵＳＢサムドライブは、それがスタンドアローン装置であるため、管理がより容易になる。すなわち、ユーザが、他のＵＳＢサムドライブのコンテンツにアクセスすることを所望する場合、アンプラグ及びプラグインシーケンスを実行する必要がある。
【０００７】
残念なことに、これは、ＵＳＢメモリカードリーダには該当しない。Ｘ−Ｉｎ−１メモリカードリーダでは、新たなメモリカードを変更するため、メモリカードリーダをアンプラグ及びプラグインする必要はない。この場合、ＵＳＢホストコントローラには、装置ステータスの変更は通知されず、従って、それは、ＴＯＣ（Ｔａｂｌｅ  ｏｆ  Ｃｏｎｔｅｎｔ）を再び収集するため、ディレクトリ／ファイルのスキャン処理を実行しない（すなわち、ＴＯＣのリフレッシュは行われない）。
【０００８】
さらに悪いことに、プラグインイベント中に、ボリューム情報（ディレクトリ及びファイルを含む）がバッファされ、このバッファされた情報は、プレーヤーがメモリカードの取り外しを知らないため、クリアされない。このことは、それがメモリカードリーダから取り外されているとしても、ユーザが依然として前に挿入されたメモリカードのディレクトリ／ファイルリストをナビゲートすることを意味し、混乱させるものであり、望ましくない。
【０００９】
プレーヤーはまた、当該メモリカードからデータを読むことができなかったとき、メモリカードのディレクトリ／ファイル情報の再生又はスキャン中にエラー状態によって困惑し、妨害される可能性もあり、通常は、それが最終的にタイムアウトになるまで待機し続ける。
［発明］
上述した問題を解決するため、本発明の一般的なアイデアは、カードリーダに対するメモリカードのプラグイン又はアンプラグを管理する方法が、メモリカードの有無についてメモリカードリーダの少なくとも１つのスロットを定期的にスキャンし、挿入されたカードが検出されると、装置の登録セクションに登録がされるというものである。
【００１０】
ＵＳＢホストコントローラを有する中央装置は、メモリカードの挿入／取り外しが検出されることを保証するため、ポーリング方法を実行する。
【００１１】
このポーリング方法は、挿入されたメモリカード上のファイルの再生中に割り込みされるようにしてもよい。それはまた、メモリカードのディレクトリのスキャン中に割り込みされるようにしてもよい。これは、ポーリングが再生及びディスクスキャンエンジンにおいて実行される場合、効果的である。
【００１２】
説明された方法は、ＵＳＢ大容量記憶クラス−ＢＯトランスポート仕様に対する拡張である。
【００１３】
本発明による方法が利用される装置について、当該装置は、メモリカードの有無についてメモリカードリーダの少なくとも１つのスロットをスキャンするため、バス接続を介し制御コマンドを定期的に送信する手段と、登録セクションにおいて挿入されたメモリカードの存在を登録する登録手段とを有する場合、効果的である。
【００１４】
さらなる効果的な実施例は、各従属クレームから明らかである。
【００１５】
再生及びディスクスキャンエンジンのさらなる効果的な実施例が、以下に列挙される。
Ｉ．ファイルスキャン段階中：メモリカードからファイル情報を読み込みにエラーが存在するとき、メモリカードは、取り外されたとみなされる。メモリカードに関するすべての情報が、消去されるであろう。
ＩＩ．再生段階中：メモリカードから再生用のデータを読み込むのにエラーが存在するとき、メモリカードは、取り外されたとみなされる。メモリカードに関するすべての情報が、消去されるであろう。
ＩＩＩ．アイドル段階中：アプリケーションがアイドル状態であるとき、メモリカードのチェックサムの定期的チェックが行われる。メモリカードからチェックサムを計算するためデータを読み込むのにエラーが存在するとき、メモリカードは、取り外されたとみなされる。メモリカードに関するすべての情報が、消去されるであろう。
［実施例］
図１において、参照番号１０は、ＤＶＤプレーヤーを示す。参照番号１１によって、外部メモリカードリーダが示される。周辺のメモリカードリーダ１１とＤＶＤプレーヤー１２は、ＵＳＢバス接続を介し互いに接続されている。
【００１６】
外部メモリカードリーダは、異なるタイプのメモリカードについていくつかのスロット１２を有していると考えられる。現在、以下の各種タイプのメモリカード、すなわち、メモリスティック、マルチメディアカード、ＳＤカード、スマートメディアカード、コンパクトフラッシュ（登録商標）カードが利用可能である。これらのカードは、様々な形式及びサイズだけでなく、各種タイプのコンタクトランド（ｃｏｎｔａｃｔ  ｌａｎｄ）を有する。従って、それらのすべてを取り扱うことができるように、カードリーダ１１には、図１に示されるような異なるサイズのいくつかのスロットが設けられる。
【００１７】
ＵＳＢは、時間共有的なシリアルデータストリームを使用する。あるアドレッシングスキームは、１２７台までの装置がバスに接続することを可能にする。マルチカードリーダは、それに割り当てられた１つのみのアドレスしか有しない。通常はＰＣであるバス上のマスタは１つしかない。マスタは、１ミリ秒の規則的な期間により接続されているすべての周辺装置をポーリングする。各周辺装置は、この１ミリ秒のフレーム内のそれに割り当てられた時間において、それのデータを時間多重されたバスにおくことによって応答する。
【００１８】
ＤＶＤプレーヤー１０とカードリーダ１１との間のポイント・ツー・ポイント接続による本発明のアプリケーションでは、ＤＶＤプレーヤーは、バス管理のためのマスタとなるよう構成される。
【００１９】
メモリカードの読み込む処理を簡略化するため、一度に１つのメモリカードしかリーダに挿入できないことが指定されてもよい。１ミリ秒の規則的な期間においてカードリーダをポーリングすることは、ＤＶＤプレーヤーによってリード処理が要求されなかった場合、カードリーダがデータをライン上におくことを意味するものではない。典型的には、ＤＶＤプレーヤーは、完全なファイル、すなわち、選択された静止画像又は音声ファイルのリード処理を要求する。このリード処理が要求された後、カードリーダは、ファイル全体が転送されるまで、それのデータをライン上に配置する。リーダがアイドル状態にあるとき、従って、リード処理が完了した後、転送されるべきデータはない。
【００２０】
各ＵＳＢ周辺装置は、自らのクラスのドライバを要求する。会議規定に述べられているように、ＵＳＢインタフェースを備えるＤＶＤプレーヤー１０は、ＢＯインタフェースプロトコルによりＵＳＢ大容量記憶装置クラスをサポートする。適切な低レベルドライバが、それのソフトウェアの統合された部分としてＤＶＤプレーヤー１０にインストールされているか、あるいは、購入時にマルチカードリーダ１１と一緒に提供される。この場合、ユーザは、それをインストールする必要がある。
【００２１】
次に、図２に関して、カードリーダ１１の低レベルドライバを使用したアプリケーションソフトウェアの構成が説明される。
【００２２】
ＵＳＢアプリケーションソフトウェアは、７つの状態と８つの状態変数を有する状態マシーンである。図２において、その状態図が示される。図２において、各状態は、丸印により示されている。状態遷移は、破線の矢印により示されている。遷移を生じさせる状態変数は、大文字によって対応する破線矢印に沿って示される。次に、各状態が説明される。
・ＵＳＢ＿Ｒｅａｄｙ
この状態は、ＤＶＤプレーヤーがオンされたが、まだＵＳＢ周辺装置が接続されていない場合に対応する。あるＵＳＢ装置が接続されると、ＵＳＢハードウェアによって割り込みが生成され、サービスルーチンにおいて、ＵＳＢ＿Ｅｎｕｍｅｒａｔｉｏｎ状態への遷移を生じさせるＵＳＢ＿ＰＬＵＧＩＮメッセージが、生成される。
・ＵＳＢ＿Ｅｎｕｍｅｒａｔｉｏｎ
バスエニュミレーション処理は、バスに付属された装置を特定し、それに一意的なアドレスを割り当てる処理である。サポートされているＵＳＢ装置（ＵＳＢリーダ／サムドライブ）が検出されると、ＵＳＢ＿ＳＵＰＰＯＲＴＥＤ＿ＤＥＶＩＣＥ＿ＦＯＵＮＤメッセージが送信され、ＵＳＢ＿Ｌｉｂｒａｒｙ＿Ｓｃａｎｎｉｎｇ状態への遷移が行われる。その後、ユーザインタフェースＵＩは、「ファイルのスキャン中」というメッセージを表示する。
【００２３】
未知のＵＳＢ装置が検出されると、ＵＳＢ＿ＵＮＫＮＯＷＮ＿ＤＥＶＩＣＥ＿ＦＯＵＮＤメッセージが送信され、ＵＳＢ＿Ｅｎｕｍｅｒａｔｉｏｎ＿Ｆａｉｌ状態への遷移が実行される。ＵＩは、「カード問題」というメッセージを出力する。
・ＵＳＢ＿Ｅｎｕｍｅｒａｔｉｏｎ＿Ｆａｉｌ
この状態において、ＵＳＢ装置がアンプラグされると、外部の割り込みがトリガーされ、ＵＳＢ＿ＲＥＡＤＥＲ＿ＲＥＭＯＶＥＤメッセージが生成され、ＵＳＢ＿Ｒｅａｄｙ状態への遷移が行われる。ＵＩは、このときリーダが再生モードにないため、「カード無し」又は「リーダ未接続」というメッセージを表示する。
・ＵＳＢ＿Ｌｉｂ＿Ｓｃａｎｎｉｎｇ
サポートされているマルチメディアファイル（ＭＭＦ）を検出すると、ＵＳＢ＿ＳＵＰＰＯＲＴＥＤ＿ＦＯＲＭＡＴメッセージが送信され、ＵＳＢ＿Ｗｉｔｈ＿Ｓｕｐｐｏｒｔｅｄ＿ＭＭＦ状態への遷移が実行される。
【００２４】
サポートされていないＭＭＦファイルが検出されると、ＵＳＢ＿ＵＮＳＵＰＰＯＲＴＥＤ＿ＦＯＲＭＡＴメッセージが送信され、ＵＳＢ＿Ｗｉｔｈｏｕｔ＿Ｍｅｍｏｒｙ＿Ｃａｒｄ状態への遷移が実行される。
【００２５】
リーダに接続されているメモリカードを検出すると、ＵＳＢ＿Ｗｉｔｈｏｕｔ＿Ｍｅｍｏｒｙ＿Ｃａｒｄ状態への遷移を引き起こすＵＳＢ＿ＭＥＭＯＲＹ＿ＣＡＲＤ＿ＲＥＭＯＶＥＤメッセージが生成される。
【００２６】
ＵＳＢ装置がＵＳＢ＿Ｌｉｂ＿Ｓｃａｎｎｉｎｇ状態においてアンプラグされると、外部の割り込みがトリガーされ、再びＵＳＢ＿ＲＥＡＤＥＲ＿ＲＥＭＯＶＥＤメッセージが送信され、ＵＳＢ＿Ｒｅａｄｙ状態への遷移が実行される。ＵＩは、「カード無し」というメッセージを表示する。
・ＵＳＢ＿Ｗｉｔｈ＿Ｓｕｐｐｏｒｔｅｄ＿ＭＭＦ
この状態においてメモリカードが取り外されると、ＵＳＢ＿ＭＥＭＯＲＹ＿ＣＡＲＤ＿ＲＥＭＯＶＥＤメッセージが生成され、ＵＳＢ＿Ｗｉｔｈｏｕｔ＿Ｍｅｍｏｒｙ＿Ｃａｒｄ状態への遷移が行われる。ＵＩは、「カード無し」を表示する。
【００２７】
ＵＳＢ装置がアンプラグされると、外部の割り込みがトリガーされ、ＵＳＢ＿ＲＥＡＤＥＲ＿ＲＥＭＯＶＥＤメッセージが送信され、ＵＳＢ＿Ｒｅａｄｙに移行する。ＵＩは、リーダが取り外されたときに再生モードにないため、「カード無し」を表示する。
・ＵＳＢ＿Ｗｉｔｈｏｕｔ＿ＭＭＦ
メモリカードが取り外されると、ＵＳＢ＿ＭＥＭＯＲＹ＿ＣＡＲＤ＿ＲＥＭＯＶＥＤメッセージが送信され、ＵＳＢ＿Ｗｉｔｈｏｕｔ＿Ｍｅｍｏｒｙ＿Ｃａｒｄ状態への遷移が行われる。ＵＩは、「カード無し」を表示する。
【００２８】
ＵＳＢ装置がアンプラグされると、外部の割り込みがトリガーされ、再びＵＳＢ＿ＲＥＡＤＥＲ＿ＲＥＭＯＶＥＤメッセージが送信され、ＵＳＢ＿Ｒｅａｄｙ状態への遷移が実行される。ＵＩは、「カード無し」というメッセージを表示する。
・ＵＳＢ＿Ｗｉｔｈｏｕｔ＿Ｍｅｍｏｒｙ＿Ｃａｒｄ
ＵＳＢ装置がアンプラグされると、外部の割り込みがトリガーされ、再びＵＳＢ＿ＲＥＡＤＥＲ＿ＲＥＭＯＶＥＤメッセージが送信され、ＵＳＢ＿Ｒｅａｄｙ状態への遷移が実行される。ＵＩは、「カード無し」というメッセージを表示する。
【００２９】
メモリカードが挿入され、本発明によるポーリング方法がこのイベントを検出すると、ＵＳＢ＿Ｍｅｍｏｒｙ＿Ｃａｒｄ＿Ｉｎｓｅｒｔｅｄメッセージが送信され、ＵＳＢ＿Ｌｉｂ＿Ｓｃａｎｎｉｎｇ状態への遷移が実行される。ＵＩは、「ファイルスキャン中」というメッセージを出力する。
【００３０】
ポーリングは、常に、すなわち、ＵＳＢ＿Ｒｅａｄｙ状態を除く上述したすべての状態において行われる。ポーリングは、例えば、１００ミリ秒ごと、さらにＤＶＤの再生中などに実行可能である。
【００３１】
マルチカードの状態に変更が生じたかについて、マルチカードリーダの各スロット１２がチェックされる（１つのカードが取り外され、又は新たなカードが挿入される）。このため、マルチカードリーダは、カードが挿入されているか示される各スロットの少なくとも１つのレジスタを有する。これらのレジスタは、ＵＳＢ制御コマンドを介し独立に読み出すことが可能である。マルチカードリーダのＵＳＢドライバソフトウェアが、これをサポートしている。従って、当該装置は、常に現在の状態を知り、ユーザに利用可能なファイルに関する「誤った」状態情報を与えることがない。これはまた、挿入されたカードからのマルチメディアファイルの再生中に実行される。すなわち、当該装置は、すでに取り外されたメモリカードからデータをもはや受け付けしないと予想しているため、エラー状態には入らない。
【００３２】
以下において、状態変数がリストされ、簡単に説明される。
・ＵＳＢ＿ＰＬＵＧＩＮ
当該メッセージは、ＵＳＢ装置が接続されると、送信される。
・ＵＳＢ＿ＲＥＡＤＥＲ＿ＲＥＭＯＶＥＤ
ＵＳＢリーダ又は装置がＵＳＢポートから切断されるときは常に、割り込みがトリガーされ、ＵＳＢ＿ＲＥＡＤＥＲ＿ＲＥＭＯＶＥＤメッセージが送信される。
・ＵＳＢ＿ＳＵＰＰＯＲＴＥＤ＿ＤＥＶＩＣＥ＿ＦＯＵＮＤ
ＵＳＢ記憶装置（すなわち、ＵＳＢリーダ又はサムドライブ）の検出に成功すると、当該メッセージが送信される。
・ＵＳＢ＿ＵＮＫＮＯＷＮ＿ＤＥＶＩＣＥ＿ＦＯＵＮＤ
ＵＳＢ記憶装置（すなわち、ＵＳＢリーダ又はサムドライブ）の検出に失敗すると、当該メッセージが送信される。
・ＵＳＢ＿ＳＵＰＰＯＲＴＥＤ＿ＦＯＲＭＡＴ＿ＦＯＵＮＤ
サポートされているマルチメディアファイル（すなわち、ＭＰ３／ＪＰＥＧ）がメモリカードにおいて検出されると、当該メッセージが送信される。
・ＵＳＢ＿ＵＮＳＵＰＰＯＲＴＥＤ＿ＦＯＲＭＡＴ＿ＦＯＵＮＤ
サポートされていないマルチメディアファイル（すなわち、ＭＰ３／ＪＰＥＧ）がメモリカードにおいて検出されると、当該メッセージが送信される。
・ＵＳＢ＿ＭＥＭＯＲＹ＿ＣＡＲＤ＿ＩＮＳＥＲＴＥＤ
上述したＵＳＢポーリング方法によりメモリカードが挿入されたことが検出されると、当該メッセージが送信される。
・ＵＳＢ＿ＭＥＭＯＲＹ＿ＣＡＲＤ＿ＲＥＭＯＶＥＤ
メモリカードが取り外されたときは常に、当該メッセージが送信される。
【００３３】
上述した実施例の各種変更が可能であり、それらは、以下に列挙された請求項の範囲内に属する。それは、本発明による手段についてマルチカードリーダを必要としない。また、シングルカードリーダが、本発明の効果を奏する可能性がある。それは、ＤＶＤプレーヤーとカードリーダとの間のＵＳＢ接続であることを必要としない。例えば、ＡＴＡ／ＩＤＥ又はＩＥＥＥ１３９４などの異なるバス接続が利用可能である。それは、本発明が実現されるＤＶＤプレーヤーである必要はない。同様の手段がまた、ＨＤＤレコーダ、ＳＴＢなどＰＣを含む他の家電機器においても利用可能である。
【図面の簡単な説明】
【００３４】
【図１】図１は、ＵＳＢバス接続を介し互いに接続される外部のメモリカードリーダとＤＶＤプレーヤーを示す。
【図２】図２は、メモリカードリーダに対するメモリカードの挿入及び取り外しを管理するＤＶＤプレーヤーにおいて実行されるソフトウェアの状態図である。
【図１】
2008500617.tif 000003
【図２】
2008500617.tif 000004
【国際調査報告】
2008500617.tif 000005
2008500617.tif 000006